(57)【特許請求の範囲】
【請求項１】
センサから取得した情報に時間情報を付与した記録情報を生成する記録情報生成部と、
ネットワークを介して接続された機器とデータの送受信を行う通信処理部と、
自機器に設定された時刻情報を管理する時刻管理部と、
制御部を備え、
前記制御部は、時刻サーバが前記ネットワークへ接続している場合は時刻サーバを参照して時刻を管理し、前記時刻サーバが前記ネットワークへ接続していない場合は前記ネットワークを介して接続された機器間で時刻を管理し、
前記制御部は、前記時刻サーバと接続していないことを検知した場合に、時刻管理方法を切り替えるためのリセット信号を前記ネットワークを介して接続された機器に対して送信する
ことを特徴とする監視装置。
【請求項２】
前記制御部は、前記リセット信号を前記ネットワークを介して接続された機器に対して送信した場合に、前記自機器の前記時刻情報を前記ネットワークに対して送信する
ことを特徴とする請求項１に記載の監視装置。
【請求項３】
前記制御部は、前記リセット信号を前記ネットワークを介して接続された機器に対して送信した場合に、前記自機器を時刻サーバとして動作させるかスレーブとして動作させるかを判断する
ことを特徴とする請求項１または２に記載の監視装置。
【請求項４】
センサから取得した情報に時間情報を付与した記録情報を生成する記録情報生成部と、
ネットワークを介して接続された機器とデータの送受信を行う通信処理部と、
自機器に設定された時刻情報を管理する時刻管理部と、
制御部を備え、
前記制御部は、時刻サーバが前記ネットワークへ接続している場合は時刻サーバを参照して時刻を管理し、前記時刻サーバが前記ネットワークへ接続していない場合は前記ネットワークを介して接続された機器間で時刻を管理し、
前記制御部は、他の監視装置が前記時刻サーバと接続していないことを当該他の監視装置により検知された場合に当該他の監視装置から前記ネットワークを介して送信された、時刻管理方法を切り替えるためのリセット信号を、前記ネットワークを介して受信した場合に、前記自機器の前記時刻情報を前記ネットワークに対して送信する
ことを特徴とする監視装置。
【請求項５】
前記制御部は、前記ネットワークから前記リセット信号を受信した場合に、前記自機器を時刻サーバとして動作させるかスレーブとして動作させるかを判断する
ことを特徴とする請求項４に記載の監視装置。
【請求項６】
前記制御部は、前記自機器が時刻管理のための時刻サーバとして動作する場合に、前記自機器が時刻サーバであることを通知するための信号を前記ネットワークを介して接続された機器に送信する
ことを特徴とする請求項３または５に記載の監視装置。
【請求項７】
前記制御部は、前記自機器が時刻管理のスレーブとして動作する場合に、時刻サーバとして動作する前記ネットワークを介して接続された機器から受信した信号をもとに前記自機器が参照する時刻サーバを切り替える
ことを特徴とする請求項３、５または６に記載の監視装置。
【請求項８】
前記制御部は、前記ネットワークに接続された他の監視装置に自ら時刻情報を前記ネットワークに送信する機能を備えないものが存在する場合、該監視装置に対して時刻情報の取得を要求し、取得した時刻情報に該監視装置の機器情報を付与して前記ネットワークに送信する
ことを特徴とする請求項１から７のいずれか１項に記載の監視装置。
【請求項９】
前記ネットワークを介して接続された機器から受信した時刻情報との差分を映像データとともに記録装置に記録する
ことを特徴とする請求項１から８のいずれか１項に記載の監視装置。
【請求項１０】
前記記録情報は、受光した光を光電変換して生成した映像信号を圧縮符号化した映像データである
ことを特徴とする請求項１から９のいずれか１項に記載の監視装置。
【請求項１１】
複数の監視装置と、
前記監視装置が送出した記録情報をネットワークを介して受信して記録する記録装置と
を備え、
前記複数の監視装置の各々は、
センサから取得した情報に時間情報を付与した記録情報を生成する記録情報生成部と、
ネットワークを介して接続された機器とデータの送受信を行う通信処理部と、
自機器に設定された時刻情報を管理する時刻管理部と、
制御部を備え、
前記複数の監視装置の各々において、
前記制御部は、時刻サーバが前記ネットワークへ接続している場合は時刻サーバを参照して時刻を管理し、前記時刻サーバが前記ネットワークへ接続していない場合は前記ネットワークを介して接続された機器間で時刻を管理し、
前記制御部は、前記時刻サーバと接続していないことを検知した場合に、時刻管理方法を切り替えるためのリセット信号を前記ネットワークを介して接続された機器に対して送信し、
前記制御部は、他の監視装置が前記時刻サーバと接続していないことを当該他の監視装置により検知された場合に当該他の監視装置から前記ネットワークを介して送信された、時刻管理方法を切り替えるためのリセット信号を、前記ネットワークを介して受信した場合に、前記自機器の時刻情報を前記ネットワークに対して送信する
ことを特徴とする監視システム。
【発明の詳細な説明】
【技術分野】
【０００１】
本発明は、監視装置および監視システムに関する。
【背景技術】
【０００２】
ネットワークに接続された複数台の監視装置と複数台の記録装置により構成される監視システムにおいて、監視装置間の時刻を同期する方法が提案されており、例えば特開２００６−２１７３２６がある。該公開公報には、「画像データを記録する録画装置と、録画装置と通信ネットワークを介して接続される複数のカメラ装置とから構成され、カメラ装置は、通信ネットワークを介して基準時間情報を取得する手段と、取得した基準時間情報に基づいて内部時計の時間を他のカメラ装置と同期させる同期手段と、内部時計の時間を基準にして他のカメラ装置と同じタイミングで各画像フレームを撮影する撮影手段と、撮影手段により撮影した各画像フレームのデータを通信ネットワークを介して録画装置へ伝送する伝送手段とを有するネットワークカメラシステムである。本発明によれば、複数のカメラ装置の内部時計の時間を互いに同期して同じタイミングで撮影された各画像フレームのデータが録画装置へ伝送されるので、通信ネットワークの通信状況に関わらず、複数のカメラ装置によりそれぞれ撮影された画像を同期させて記録する」と記載されている。
【先行技術文献】
【特許文献】
【０００３】
【特許文献１】特開２００６−２１７３２６
【発明の概要】
【発明が解決しようとする課題】
【０００４】
特許文献１では、基準時刻情報を提供する管理装置がネットワークに常時接続されており、各監視装置は該管理装置から時刻情報を取得して監視装置の時刻を設定することで、監視装置間の時刻を同期させている。このため、基準時刻情報を取得するための管理装置が常時接続されている監視システム以外には適用できないという問題があり、改善の余地がある。
【０００５】
上記課題を鑑み、監視システムにおいて、基準時刻情報を提供する管理装置を監視システムに常時接続することなく、複数の監視装置の時刻を管理して各監視カメラ装置の映像を同期させるのに好適な監視装置および監視システムを提供することを目的とする。
【課題を解決するための手段】
【０００６】
上記目的を解決するために、特許請求の範囲に記載の構成を採用する。
本願は上記目的を解決する手段を複数含んでいるが、その一例を挙げるならば、センサから取得した情報に時間情報を付与した記録情報を生成する記録情報生成部と、ネットワークを介して接続された機器とデータの送受信を行う通信処理部と、自機器に設定された時刻情報を管理する時刻管理部と、制御部を備え、制御部は、時刻サーバがネットワークへ接続している場合は時刻サーバを参照して時刻を管理し、時刻サーバがネットワークへ接続していない場合はネットワークを介して接続された機器間で時刻を管理することを特徴とする。
【発明の効果】
【０００７】
本発明によれば、複数の監視装置と複数の記録装置から構成された監視システムにおいて、基準時刻情報を提供する管理装置を常時接続することなく複数の監視装置間の時刻を管理し、記録情報を同期再生するのに好適な監視装置および監視システムを提供することができる。
【図面の簡単な説明】
【０００８】
【図１】監視システムのシステム構成図の一例
【図２】監視装置の機能構成図の一例
【図３】管理装置が未接続の監視システムのシステム構成図の一例
【図４】管理装置が未接続の監視システムのシステム構成図の一例
【図５】時刻通知情報の一例
【図６】時刻相関情報の一例
【図７】管理装置接続切断時の処理フローの一例
【図８】管理装置接続切断時の処理フローの一例
【図９】サーバ・スレーブ動作判定処理フローの一例
【発明を実施するための形態】
【実施例１】
【０００９】
以下、本発明の第１の実施形態を、図面を用いて説明する。
【００１０】
＜システム構成＞
図１は、本実施例における管理装置１０３が接続されている場合の監視システムのシステム構成図である。
【００１１】
複数台の監視装置１０１（監視装置Ａ〜監視装置Ｎ）と複数台の記録装置１０２（記録自機器の時刻を補正する時装置Ａ〜記録装置Ｘ）がネットワークに接続している。各監視装置１０１と記録装置１０２は必ずしも1対1に対応していなくてもよく、1台の記録装置１０２に対して複数台の監視装置１０１が記録を行うことができる。各装置にはシステム内で固有のＩＤをそれぞれ割り当てる。固有のＩＤとは、例えばＩＰネットワークで一般的に使用されるＩＰアドレスやＭＡＣアドレスを使用することができる。管理装置１０３も同様に固有のＩＤを有し、各監視装置１０１に対する各種設定動作を行い、また、時刻同期のための基準時刻を提供する時刻サーバとして動作する。
【００１２】
本構成において、各監視装置１０１は、生成した記録情報を記録装置１０２に記録する処理に加えて、自機器が生成した記録情報のフレームごとの時刻も記録する。また、管理装置１０３から基準時刻を取得し、自機器の時刻を補正する。ここで「自機器」とは、監視装置１０１自分自身のことを意味し、例えば監視装置Ａにとっては、監視装置Ａが自機器であり、監視装置Ｂ〜監視装置Ｎは他の監視装置と記す。
【００１３】
上述の構成により、監視システムに管理装置１０３が接続されている場合は監視装置１０１は管理装置１０３から取得した基準時刻を用いて自機器に正確な時刻を設定できる。しかしながら、監視システムの運用においては、監視システム構築時の設定作業や記録情報の確認作業時を除き、監視システムに管理装置１０３が接続されていない運用形態も存在しうる。そのような場合においても、監視装置１０１の時刻を適切に管理する方法が必要となる。管理装置１０３が監視システムに接続されていない場合の動作について以降で説明する。
【００１４】
図３は、管理装置１０３との接続が切断された場合の監視システムのシステム構成図である。各監視装置１０１は管理装置１０３との接続が切断されたことを検知すると、自機器のＩＤと時刻情報を含む時刻通知情報５００をネットワークに対して所定の間隔で一斉通知する動作を開始する。また、監視装置１０１は、他の監視装置１０１から送られた時刻通知情報５００を受信すると、受信した時刻通知情報５００と自機器の時刻との差分を算出し、自機器と他の監視装置１０１との時刻の差分情報からなる時刻相関情報６００を生成する。時刻相関情報６００は、所定の条件に従い、記録情報の記録先として使用している記録装置１０２に対して記録する。
【００１５】
この時刻相関情報６００を用いることにより、監視装置１０１で記録した記録情報を複数同時に再生する際に、各記録情報のフレームに付与された時刻と時刻相関情報６００に記録された各監視装置１０１の時刻の差分を用いてフレームの再生タイミングを決定することで異なる監視装置１０１で記録した記録情報の同期再生が可能となる。
【００１６】
＜監視装置の構成と処理＞
監視装置１０１の詳細について説明する。図２は、監視装置１０１の機能構成図である。
【００１７】
時刻管理部２０１は自機器の現在時刻の管理や時刻補正処理を行う。時刻サーバから基準時刻を取得して自機器の時刻を補正するクライアントとしての機能を備えるとともに、自機器が時刻サーバとして動作して基準時刻を提供する機能も備える。時刻サーバおよびクライアントとしての動作は、例えばＮＴＰ（Ｎｅｔｗｏｒｋ  Ｔｉｍｅ  Ｐｒｏｔｏｃｏｌ）を使用することもできるし、独自の方式を使用してもよい。管理装置１０３が接続されている状態でクライアントとして動作する場合、時刻補正を実施した際の補正量を記録した時刻補正履歴を保持する。
【００１８】
記録情報生成部２０２は、センサ２０３から取得した信号と時刻管理部２０１が管理する時刻情報を付与した記録情報を生成する。
【００１９】
通信処理部２０４は、ネットワークを介して接続された機器とデータの送受信を行う。
【００２０】
制御部２０５は、記録情報生成部２０２が生成した記録情報を記録先として設定されている記録装置１０２に対して記録するように通信処理部２０４に指示をする。また、管理装置１０３が接続している場合には管理装置１０３から基準時刻を取得して自機器の時刻を補正するように時刻管理部２０１に指示し、管理装置１０３が接続されていない場合には、自機器の時刻通知情報５００を所定の間隔でネットワークに同報送信する。また、他の監視装置から時刻通知情報５００を受信した場合には、受信した時刻通知情報５００と自機器の時刻との差分を算出して時刻相関情報６００を生成し、所定のタイミングで時刻相関情報６００を記録装置１０２に保存する。
【００２１】
＜制御フローと時刻相関情報６００＞
監視装置１０１が使用する情報と制御フローの詳細について説明する。時刻通知情報５００および時刻相関情報６００について、図５および図６を用いて説明する。続いて、監視装置１０１の処理フローと各構成要素の処理について、図７を用いて説明する。
【００２２】
＜時刻通知情報５００および時刻相関情報６００＞
図５は、監視装置１０１が自機器の時刻情報をネットワークに接続された他機器に通知するために送信する時刻通知情報５００の一例である。機器ＩＤ５０１は、監視システムで割り当てる固有のＩＤであり、時刻５０３は、時刻通知情報５００を送信した時点における時刻通知情報５００を送信した監視装置１０１の時刻管理部２０１が管理する時刻（日付と時間）が格納されている。
【００２３】
図６は、各監視装置１０１が生成する時刻相関情報６００の一例を示す図である。自機器ＩＤ６０１は自機器に付与された監視システム内で固有のＩＤである。他機器ＩＤ６０２は、時刻通知情報５００の送信元の監視装置１０１に付与されている固有ＩＤである。自機器時刻６０３は、時刻相関情報６００を受信した時点での自機器の時刻管理部２０１が管理する時刻であり、他機器時刻は時刻通知情報５００に設定されている時刻である。時刻差分は、自機器の時刻と時刻通知情報５００で通知された時刻の差分である。各監視装置１０１は、他の監視装置からの時刻通知情報５００を受信すると、受信した内容から時刻差分を算出し、時刻相関情報６００に追加していく。
【００２４】
上記のように、自機器と他の監視装置１０１との時刻差分の履歴を保持することにより、記録装置１０２に記録した記録情報を再生する際に、各監視装置１０１が記録情報に付与した時刻情報に対して時刻相関情報６００の時刻差分に応じて調整したタイミングで再生することにより、情報記録時に各監視装置１０１の時刻にずれが生じていた場合においても、記録情報の同期した再生が可能となる。
【００２５】
＜管理装置の接続切断時の動作＞
図７は、監視システムに管理装置１０３が接続されていない場合の、監視装置１０１の処理フローを示す図である。フローに合わせて、監視カメラ装置１０１の動作と、各構成要素の処理について説明する。
【００２６】
Ｓ７０１では、制御部２０５は他の監視装置１０１からリセット信号が送信されたか否かを判定する。リセット信号とは監視装置が管理装置１０３との接続が切断されたことを検知した場合に、ネットワークに対して同報通知する時刻管理方法を切り替えるための信号である。リセット信号を受信した場合はＳ７０４に進み、受信していない場合はＳ７０２に進む。
【００２７】
Ｓ７０２では、監視装置１０１が管理装置との接続が確保されているか否かを検知する。図７の処理フローは監視システムに管理装置１０３が接続されていない場合の処理フローであるため、Ｓ７０２において管理装置１０３と接続が確保されていないものとする。管理装置１０３と接続が確保されている場合はＳ７０１に戻り、Ｓ７０１のリセット信号を受信するかＳ７０２の管理装置１０３と接続されていないことを検知するまで待機する。
【００２８】
Ｓ７０３では、制御部２０５は管理装置１０３との接続が切断されたことを検知したため、ネットワークに対してリセット信号を同報通知する。
【００２９】
Ｓ７０４では、制御部２０５はあらかじめ監視装置１０１に設定された所定の周期で時刻通知情報５００を送信する動作を開始する。
【００３０】
Ｓ７０５では、制御部２０５は終了条件が発生したか否か、すなわち制御部２０５は管理装置１０３が監視システムに接続さているか否かを判定する。終了条件が発生している場合はＳ７１０に進み、発生していない場合はＳ７０６に進む。
【００３１】
Ｓ７０６では、制御部２０５は他の監視装置１０１からの時刻通知情報５００の受信したか否かを判定する。時刻通知情報５００を受信した場合はＳ７０７へ進み、受信していない場合はＳ７０５に戻る。
【００３２】
Ｓ７０７では、制御部２０５はＳ７０６で受信した時刻通知情報５００をもとに自機器が保持している時刻相関情報６００を更新し、Ｓ７０８に進む。
【００３３】
Ｓ７０８では、制御部２０５は自機器が保持している時刻相関情報６００を記録装置１０２に記録するか否かを判定する。この判定は、自機器が保持している時刻相関情報６００の件数が所定の閾値を超過したか、あるいは、前回時刻相関情報６００を記録装置１０２に記録してから所定の時間を経過したか否かで判断する。時刻相関情報６００を記録装置１０２に記録する場合にはＳ７０９に進み、記録しない場合にはＳ７０５に戻り、再び他の監視装置１０１からの時刻通知情報５００の受信を待つ。
【００３４】
Ｓ７０９では、制御部２０５は保持している時刻相関情報６００を記録装置１０２に記録している時刻相関情報６００に追記したうえで自機器が内部保持している時刻相関情報６００を削除し、Ｓ７０５に戻る。
【００３５】
Ｓ７１０では、制御部２０５はＳ７０９と同様に、保持している時刻相関情報６００を記録装置１０２に記録している時刻相関情報６００に追記したうえで自機器が内部保持している時刻相関情報６００を削除し、接続された管理装置１０３の時刻を参照して時刻補正を行うように時刻管理部２０１に指示を送り、管理装置切断時の処理フローを終了する。なお、管理装置１０３と接続されている間はＳ７０１からＳ７０３までの処理を繰り返し行い、管理装置１０３との接続されていない状態となった場合は、再度Ｓ７０４以降の動作を行う。
【００３６】
上記のように、監視装置１０１が他の監視装置１０１から時刻通知情報５００を受信した場合に時刻相関情報６００を生成して記録装置１０２に記録することにより、各監視装置１０１の時刻が同期できていない状況においても、記録情報を同時に再生する際に必要となる各監視装置１０１の時刻の差分を記録装置１０２に記録することができる。また、時刻通知情報５００を受信するたびに時刻相関情報６００を記録装置１０２に記録するのではなく、Ｓ７０４に示す所定の条件に応じて記録動作を行うことにより、ネットワークの帯域利用を削減するとともに、制御部２０５の処理負荷を軽減できる。
【００３７】
また、監視システムに時刻通知情報５００を送信する機能を備えない監視装置が存在する場合には、時刻通知情報５００を送信する機能を備える監視装置１０１が上記所定の周期で該監視装置に対して標準的な手段を使用して時刻情報の取得を要求し、取得した時刻に該監視装置の機器ＩＤを付与した時刻通知情報５００を代理して作成し、送信することも可能である。この代理して時刻通知情報５００を作成する装置はユーザにより事前に設定された監視装置１０１が行うように決定してもよいし、Ｍａｃアドレスなどの識別情報が最も小さい／大きい装置が行うようにするなど、監視装置１０１が判断して決定してもよい。ここで、標準的な手段としては、例えばＯＮＶＩＦ（Ｏｐｅｎ  Ｎｅｔｗｏｒｋ  Ｖｉｄｅｏ  Ｉｎｔｅｒｆａｃｅ  Ｆｏｒｕｍ）が定める通信プロトコルなどが使用できる。
【００３８】
また、監視システムに管理装置１０３が再接続された場合には、管理装置１０３から各監視装置１０１に対して管理装置１０３の時刻サーバから基準時刻を取得して時刻を補正するように指示する。この際に、各監視装置１０１は管理装置１０３から取得した基準時刻と自機器の時刻から時刻差分を算出し、時刻相関情報６００を更新する。この処理により、管理装置１０３と各記録装置１０１の時刻の差分を管理できるようになり、管理装置１０３の時刻に合わせた記録情報の再生が可能となる。
【００３９】
以上説明した処理を行うことにより、監視システムに基準時刻を提供する管理装置１０３が常時接続されていない場合において、各監視装置１０１の時刻にずれが生じていたとしても、複数の記録装置１０１が記録装置１０２に記録した記録情報の同期再生が可能となる。
【実施例２】
【００４０】
続いて、本発明の第２の実施形態を説明する。
＜システム構成＞
本実施例における、管理装置１０３が接続されている場合の動作は、第１の実施例と同様であるため説明を省略する。
【００４１】
図４は、管理装置１０３との接続が切断された場合の監視システムのシステム構成図である。監視装置１０１は管理装置１０３との接続が切断されたことを検知すると、所定の条件に従い自機器が基準時刻を提供する時刻サーバとして動作するか、時刻サーバを参照して自機器の時刻を補正するクライアントとして動作するかを判断する。時刻サーバとして動作する監視装置１０１（図４の場合は監視装置Ａ）は、自機器が時刻サーバであることをネットワークに同報通知し、クライアントとして動作する監視装置１０１（図４の場合は監視装置Ｂ〜監視装置Ｎ）は時刻サーバとして動作する監視装置１０１から通知された情報をもとに参照先となる時刻サーバを設定する。
【００４２】
このように管理装置１０３との接続が切断されても監視装置１０１の中から時刻サーバとなる監視装置１０１を決定し、該監視装置１０１が提供する基準時刻をもとにクライアントとして動作する監視装置１０１の時刻を補正することにより、監視システムに接続された監視装置１０１の時刻を同期することができる。
【００４３】
監視装置１０１の時刻が同期することで監視装置１０１が記録装置１０２に記録する記録情報に付与される時刻情報も同期がとれたものとなり、複数の監視装置１０１により記録された記録情報を同時に再生する際に、記録情報に付与されている時刻をもとに再生制御することで同期をとることが可能となる。
【００４４】
監視装置１０１の機能構成は第１の実施例で説明した図２と同様であるが、本実施例では処理フローが異なる。各構成要素の処理内容について処理フローと合わせて説明する。
【００４５】
＜管理装置切断時の動作＞
図８は、監視システムに管理装置１０３が接続されていない場合の、監視装置１０１の処理フローを示す図である。
【００４６】
Ｓ８０１からＳ８０３までの処理は、それぞれ図７のＳ７０１からＳ７０３までの処理と同様のため、説明を省略する。
【００４７】
Ｓ８０３では、Ｓ８０１のリセット信号の受信、またはＳ８０２の検知によって管理装置１０３との接続が切断されていることを知った制御部２０５は自装置である監視装置１０１が時刻サーバとして機能するか時刻クライアントとして機能するかを判定する。判定処理の詳細は図９を用いて後で説明する。時刻サーバとして機能すると判定した場合はＳ８０５に進み、時刻クライアントとして機能すると判定した場合はＳ８０７に進む。
【００４８】
Ｓ８０５では、制御部２０５は時刻管理部２０１に対して時刻サーバ機能を開始するように指示し、時刻管理部２０５による時刻サーバ機能の開始が完了したらＳ８０６に進む。
【００４９】
Ｓ８０６では、制御部２０５は自機器が時刻サーバとして動作することをネットワークに対して同報通知し、時刻サーバとしての機能提供を開始する。
【００５０】
Ｓ８０７では、制御部２０５は時刻サーバとして動作する監視装置１０１からの通知の受信を待ち、通知を受信したらＳ８０８に進む。
【００５１】
Ｓ８０８では、制御部２０５はＳ８０７で受信した時刻サーバの情報をもとに、時刻管理部２０１に対してクライアントとして動作する際に基準時刻の取得先となる時刻サーバを切り替えるように指示し、時刻管理部２０１はクライアントとしての動作を開始する。
【００５２】
＜サーバ・クライアント判定処理＞
続いて、Ｓ８０４における時刻サーバとして動作するか、クライアントとして動作するかの判定処理フローを図を用いて説明する。
【００５３】
図９は、監視システムから管理装置１０３が切断された場合の監視装置１０１が自機器の時刻管理動作として時刻サーバとして動作するかクライアントとして動作するかを判定する処理のフロー図である。
【００５４】
Ｓ９０１では、制御部２０５は自機器の設定情報を読み出し、システム管理者によりどの監視装置１０１が時刻サーバとして動作するかについて設定されているかを確認し、Ｓ９０２に進む。
【００５５】
Ｓ９０２では、設定が存在する場合にはＳ９０３へと進み、設定が存在しない場合にはＳ９０４へと進む。
【００５６】
Ｓ９０３では、制御部２０５は設定されていた内容に従い、時刻サーバとして動作する監視装置１０１として自機器が設定されていた場合には時刻サーバとして動作すると判定し、他の監視装置１０１が時刻サーバとして設定されていた場合には自機器はクライアントとして動作すると判定し、判定処理を終了する。
【００５７】
Ｓ９０４では、制御部２０５は監視システムに接続された監視装置１０１の中から時刻サーバとして動作する監視装置１０１を選択するために使用する判定係数Ｗを数式１により算出し、Ｓ９０５に進む。ここで、関数ｆは時刻管理部２０１が保持する時刻補正履歴Ｔに記録されている時刻補正量から監視装置の時計の正確さを算出する。また、関数ｇは監視装置の型式Ｍから時計の正確さを算出する。Ｐはシステム管理者により設定された監視装置１０１ごとに指定された時刻サーバとして動作を判定時に加算される優先度である。
(数式１)  Ｗ＝ｆ（Ｔ）＋ｇ（Ｍ）＋Ｐ
上記のように判定係数を算出することにより、システム監視者が設定した監視装置１０１ごとの優先度に加え、時計が正確な監視装置１０１を時刻サーバとして選択することが可能となる。
【００５８】
Ｓ９０５では、制御部２０５はＳ９０４で算出した判定係数Ｗを監視システムに対して同報配信する。
【００５９】
Ｓ９０６では、制御部２０５は他の監視装置１０１から同様に同報配信される判定係数Ｗの受信を待つ。他の監視装置からの判定係数の受信が完了したら、Ｓ９０７へ進む。
【００６０】
Ｓ９０７では、制御部２０５は他の監視装置１０１から受信した判定係数と自機器の判定係数を比較し、自機器の判定係数が最大であった場合にはＳ９０８に進み、それ以外の場合にはＳ９０９に進む。なお、判定係数が同値となった場合には、機器ＩＤの小さいものを選択するなど、所定の方法により時刻サーバとなる監視装置１０１を選択する。
【００６１】
Ｓ９０８では、制御部２０５は自機器が時刻サーバとして動作すると判定し、Ｓ９０９では制御部２０５は自機器がクライアントとして動作すると判定して処理フローを終了する。
【００６２】
なお、本実施例で説明したフローにより時刻サーバとして動作することを決定した監視装置１０１との接続が切断された場合も本実施例で説明したものと同様の処理を行うことで再度時刻サーバとなる監視装置１０１を決定することができる。
【００６３】
以上説明した処理を行うことにより、監視システムに基準時刻を提供する管理装置１０３が接続されていない場合においても、監視システムに接続した監視装置１０１の中から時刻サーバとして動作する監視装置１０１を決定し、他の監視装置１０１は時刻サーバとして動作する監視装置１０１から基準時刻を取得して時刻を補正することにより各監視装置１０１の時刻を同期させることが可能となり、複数の監視装置１０１が記録装置１０２に記録した記録情報に付与される時刻も同期がとれたものとなるため、記録情報の同期再生を実現できる。
【００６４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００６５】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６６】
１０１    監視カメラ装置
１０２    記録装置
１０３    管理装置
２０１    時刻管理部
２０２    記録情報生成部
２０３    センサ
２０４    通信処理部
２０５    制御部
【図１】
0006406893.tif 000002
【図２】
0006406893.tif 000003
【図３】
0006406893.tif 000004
【図４】
0006406893.tif 000005
【図５】
0006406893.tif 000006
【図６】
0006406893.tif 000007
【図７】
0006406893.tif 000008
【図８】
0006406893.tif 000009
【図９】
0006406893.tif 000010